(57)【要約】【課題】購入商品の特定が容易であり、特定した商品の陳列場所や最短経路を一目で分かる商品陳列場所通知システム、カメラ付携帯端末及び店舗側装置を提供する。【解決手段】カメラ部で撮影した画像から文字認識により作成した購入を希望する商品一覧を店舗側装置に送信し、店舗側装置から一覧商品の陳列場所の情報を含む店内情報を受信して表示部に表示する制御を行う制御部を備えるカメラ付携帯端末と、前記カメラ付携帯端末から受信した商品一覧を検索し、商品一覧の店内情報を前記カメラ付携帯端末に送信する店舗側制御部を備える店舗側装置と、からなる。【選択図】図４
2009217626.tif 000002
【特許請求の範囲】
【請求項１】
カメラ部で撮影した画像から文字認識により作成した購入を希望する商品一覧を店舗側装置に送信し、店舗側装置から一覧商品の陳列場所の情報を含む店内情報を受信して表示部に表示する制御を行う制御部を備えるカメラ付携帯端末と、前記カメラ付携帯端末から受信した商品一覧を検索し、商品一覧の店内情報を前記カメラ付携帯端末に送信する店舗側制御部を備える店舗側装置と、からなることを特徴とする商品陳列場所通知システム。
【請求項２】
前記商品一覧には、前記制御部が前記店舗側制御部から取得した商品情報から選択した商品を含むことを特徴とする請求項１記載の商品陳列場所通知システム。
【請求項３】
前記店内情報には、店内レイアウト表示及び前記店内レイアウト表示上の一覧商品の陳列場所を示すマーク表示の情報を含むことを特徴とする請求項１又は２記載の商品陳列場所通知システム。
【請求項４】
前記店内情報には、前記マーク表示間の経路表示を含むことを特徴とする請求項３記載の商品陳列場所通知システム。
【請求項５】
前記店舗側制御部は、店舗内の前記カメラ付携帯端末の位置情報に基づき、前記商品一覧の受信時の前記カメラ付携帯端末の位置に一番近い前記マーク表示を始点とする最短の経路表示を含む前記店内情報を前記制御部に送信することを特徴とする請求項３記載の商品陳列場所通知システム。
【請求項６】
前記制御部は、前記マーク表示に係る商品の購入決定に係るカメラ付携帯端末のユーザの操作に基づき当該マーク表示の表示色を変更するとともに、経路上の次の商品のマーク表示を強調表示する制御を行うことを特徴とする請求項３ないし５の何れかに記載の商品陳列場所通知システム。
【請求項７】
前記経路表示は前記マーク表示間の結線表示とし、前記制御部は表示色を変更したマーク表示までの結線の線種を変更する制御を行うことを特徴とする請求項６記載の商品陳列場所通知システム。
【請求項８】
前記制御部は、ユーザの操作に基づき選択的に前記マーク表示に対応する商品名を当該マーク表示の位置に関連して表示する制御を行うことを特徴とする請求項３ないし７の何れかに記載の商品陳列場所通知システム。
【請求項９】
前記店舗側制御部は、前記店内情報に基づいて顧客の経路を集計、管理することを特徴とする請求項１ないし８の何れかに記載の商品陳列場所通知システム。
【請求項１０】
カメラ部で撮影した画像から文字認識により作成した購入を希望する商品一覧を店舗側装置に送信し、店舗側装置から一覧商品の陳列場所の情報を含む店内情報を受信して表示部に表示する制御を行う制御部を備えることを特徴とするカメラ付携帯端末。
【請求項１１】
前記商品一覧には、前記制御部が前記店舗側制御部から取得した商品情報から選択した商品を含むことを特徴とする請求項１０記載のカメラ付携帯端末。
【請求項１２】
前記店内情報には、店内レイアウト表示及び前記店内レイアウト表示上の一覧商品の陳列場所を示すマーク表示の情報を含むことを特徴とする請求項１０又は１１記載のカメラ付携帯端末。
【請求項１３】
前記店内情報には、前記マーク表示間の経路表示の情報を含むことを特徴とする請求項１２記載のカメラ付携帯端末。
【請求項１４】
前記店内情報には、購入を希望する商品一覧の送信時の当該カメラ付携帯端末の位置に一番近いマーク表示を始点とする最短の経路表示を含むことを特徴とする請求項１２記載のカメラ付携帯端末。
【請求項１５】
前記制御部は、前記マーク表示に係る商品の購入決定に係る当該カメラ付携帯端末のユーザの操作に基づき当該マーク表示の表示色を変更するとともに、経路上の次の商品のマーク表示を強調表示する制御を行うことを特徴とする請求項１２ないし１４の何れかに記載のカメラ付携帯端末。
【請求項１６】
前記経路表示は前記マーク表示間の結線表示とし、前記制御部は、表示色を変更したマーク表示までの結線の線種を変更する制御を行うことを特徴とする請求項１５記載のカメラ付携帯端末。
【請求項１７】
前記制御部は、ユーザの操作に基づき選択的に前記マーク表示に対応する商品名を当該マーク表示の位置に関連して表示する制御を行うことを特徴とする請求項１２ないし１６の何れかに記載のカメラ付携帯端末。
【請求項１８】
カメラ付携帯端末から当該カメラ付携帯端末のカメラ部で撮影した画像から文字認識により作成した購入を希望する商品一覧を受信し、一覧商品の陳列場所の情報を含む店内情報を前記カメラ付携帯端末に送信する店舗側制御部を備えることを特徴とする店舗側装置。
【請求項１９】
前記商品一覧には、前記店舗側制御部が前記カメラ付携帯端末に送信した商品情報から選択した商品を含むことを特徴とする請求項１８記載の店舗側装置。
【請求項２０】
前記店内情報には、店内レイアウト表示及び店内レイアウト表示上の一覧商品の陳列場所を示すマーク表示の情報を含むことを特徴とする請求項１８又は１９記載の店舗側装置。
【請求項２１】
前記店内情報には、前記一覧商品の陳列場所のマーク表示間の経路表示の情報を含むことを特徴とする請求項２０記載の店舗側装置。
【請求項２２】
前記店舗側制御部は、前記カメラ付携帯端末の店舗内の位置情報を取得し、前記経路表示の情報に商品一覧の受信時の前記カメラ付携帯端末の位置に一番近い前記マーク表示を始点とする最短の経路表示を含む店内情報を前記カメラ付携帯端末に送信する制御を行うことを特徴とする請求項２０記載の店舗側装置。
【請求項２３】
前記店舗側制御部は、前記店内情報に基づいて顧客の経路を集計、管理することを特徴とする請求項１８ないし２２の何れかに記載の店舗側装置。
【発明の詳細な説明】
【技術分野】
【０００１】
本発明は商品陳列場所通知システムに関し、特に、購入を希望する商品の陳列場所を通知する商品陳列場所通知システム、カメラ付携帯端末及び店舗側装置に関する。
【背景技術】
【０００２】
商品の買い忘れを防ぐとともに目的の売り場に来店者を誘導する売場案内システムが特許文献１に記載されている。このシステムは情報端末が管理サーバから料理メニュー等の提案情報を取得し、メニュー項目の何れかを選択すると、当該メニュー項目に必要な食材一覧を受信でき、献立に必要な食材の一覧を確認しながら買物をすることができる。また、情報端末はカーナビゲーションと同様に現在位置から目的の売場までの誘導の形式の画面を表示可能であり目的の売場に素早く到達することができるとするものである。
【特許文献１】特開２００３−１７８１６５号公報（段落0013〜0028）
【発明の開示】
【発明が解決しようとする課題】
【０００３】
しかし前述のような売場案内システムは、何らかの意思の元に複数の商品を組み合わせて販売する分野に適用されるシステムであって、このような関連商品の購入時には利便性があるものの、広告等から購入希望が生じるような場合の個別の商品の特定と購入には適さないシステムである。
【０００４】
（目的）
本発明の目的は、以上の課題を解決する商品陳列場所通知システム、カメラ付携帯端末及び店舗側装置を提供することにある。
【０００５】
本発明の他の目的は、購入商品の特定が容易であり、特定した商品の陳列場所や最短経路を一目で分かる商品陳列場所通知システム、カメラ付携帯端末及び店舗側装置を提供することにある。
【課題を解決するための手段】
【０００６】
本発明の第１の商品陳列場所通知システムは、カメラ部で撮影した画像から文字認識により作成した購入を希望する商品一覧を店舗側装置に送信し、店舗側装置から一覧商品の陳列場所の情報を含む店内情報を受信して表示部に表示する制御を行う制御部を備えるカメラ付携帯端末と、前記カメラ付携帯端末から受信した商品一覧を検索し、商品一覧の店内情報を前記カメラ付携帯端末に送信する店舗側制御部を備える店舗側装置と、からなることを特徴とする。
【０００７】
本発明の第１のカメラ付携帯端末は、カメラ部で撮影した画像から文字認識により作成した購入を希望する商品一覧を店舗側装置に送信し、店舗側装置から一覧商品の陳列場所の情報を含む店内情報を受信して表示部に表示する制御を行う制御部を備えることを特徴とする。
【０００８】
本発明の第１の店舗側装置は、カメラ付携帯端末から当該カメラ付携帯端末のカメラ部で撮影した画像から文字認識により作成した購入を希望する商品一覧を受信し、一覧商品の陳列場所の情報を含む店内情報を前記カメラ付携帯端末に送信する店舗側制御部を備えることを特徴とする。
【発明の効果】
【０００９】
本発明によれば、カメラ付携帯端末で広告や店舗内の陳列状況の表示などを撮影することにより、商品名をリスト化した商品一覧を自動作成でき表示できるので、買い物リストのメモとして利用可能である。
【００１０】
また、商品一覧の陳列場所の最短経路の探索により買いたい商品とその陳列場所とをリンク表示ができるので、商品の陳列場所を探す手間を省くことができるとともに、買った商品が一目で見て分かるという利点がある。
【発明を実施するための最良の形態】
【００１１】
（第１の実施形態）
本発明の商品陳列場所通知システム、カメラ付携帯端末及び店舗側装置の実施形態として、カメラ付携帯端末にカメラ付携帯電話機を用いた構成例について以下説明する。
【００１２】
（構成の説明）
図１は本発明の商品陳列場所通知システムを構成するカメラ付携帯端末及び店舗側装置の外観を示す図である。
【００１３】
本商品陳列場所通知システムはカメラ付携帯電話機１００と店舗側装置２００とから構成される。カメラ付携帯電話機１００は主なユーザインターフェースとして、ＬＣＤ表示部１０１とキー入力部１０２とを備える。また、ＬＣＤ表示部１０１の裏側にカメラ部１０３を備える。また、店舗側装置２００は屋内、屋外等の店舗、店舗内外、ネットワーク上等に設置されており、陳列商品に係る情報に関するインターフェースとしてデータの入力部と表示部とを備え、カメラ付携帯電話機１００と公衆回線やネットワーク等を介する通信機能を有する。本商品陳列場所通知システムの概要は次のとおりである。
【００１４】
ユーザが店舗での商品購入にあたりカメラ付携帯電話機１００のカメラ部で商品情報を有する被写体を撮影して購入を希望する商品一覧の情報を取得し、前記商品一覧の商品陳列場所等の商品に係る店内情報を店舗側装置２００から取得してＬＣＤ表示部１０１に表示し、商品購入に利用する。店舗側装置２００は該店舗内のカメラ付携帯電話機１００に前記商品一覧に基づいて商品陳列場所等の商品に係る店内情報を送信してユーザの商品購入を支援する。
【００１５】
図２は本発明の第１の実施形態のカメラ付携帯電話機の構成例を示す図である。カメラ付携帯電話機１００はＬＣＤ表示部（表示部）１０１、キー入力部１０２、カメラモジュール（カメラ部）１０３、記憶部（メモリ）２０１、アンテナ２０２及び制御部２０３を備える。各部の機能は以下のとおりである。
【００１６】
ＬＣＤ表示部１０１は、カメラ撮影画像、前記店内情報等を表示するインターフェースである。キー入力部１０２はカメラ部１０３の起動、撮影、商品選択等、店内情報を取得するための各種の入力操作を行うインターフェースである。
【００１７】
カメラ部１０３は、キー入力部１０２からの操作により起動し、撮影画像を出力する。カメラ部１０３は専用ＬＳＩにより制御される。
【００１８】
記憶部（メモリ）２０１は、ＲＯＭ（Read Only Memory）、ＲＡＭ（Random Access Memory）、フラッシュメモリ等のメモリを備え、カメラ付携帯電話機のＯＳ、各種アプリケーションプログラムに加えて、商品、店内レイアウト、商品一覧、検索結果等の店内情報及び商品陳列場所通知用のアプリケーションプログラム等を格納する。アンテナ２０２は携帯電話用の送受信に加え、店舗側装置２００との各種の情報の送受信に使用される。
【００１９】
制御部２０３は、カメラ付携帯電話機１００の各部の制御を行い、基地局との位置登録、発着信、通話等の携帯電話機能に加え、カメラ部１０３で撮影した撮影画像のデータ（画像データ）をメモリ２０１に一旦格納する制御、メモリ２０１から画像データを読み出して文字認識を行い、商品一覧を作成する制御、店舗側装置２００から商品情報や店内情報等を取り込み、メモリ２０１に一旦格納し、ＬＣＤ表示部１０１に表示する等の制御機能を有する。
【００２０】
図３は第１の実施形態の店舗側装置の構成例を示す図である。店舗側装置２００は表示部３０１、入力部３０２、記憶部３０３、アンテナ３０４及び店舗側制御部３０５を備える。各部の機能は以下のとおりである。
【００２１】
表示部３０１は、各種の店内の入力情報、記憶部３０３に格納された、商品リスト等の商品情報、店舗内の商品陳列に係る店内レイアウト（配置）等を含む店舗情報、商品一覧に基づく一覧商品に関する店内レイアウト上の陳列商品の位置情報等、検索結果である店内情報を表示可能である。
【００２２】
入力部３０２は前記店舗情報、検索結果等の商品陳列に係る店内情報等に係る入力機能を有する。
【００２３】
記憶部３０３は前記店舗情報、前記店内情報、その他の情報等が格納される。つまり、商品リスト等の店舗が扱う商品情報、店内レイアウト情報、商品陳列場所の情報、検索結果の陳列場所、経路情報等の店内情報を記憶する。
【００２４】
店舗側制御部３０５は、カメラ付携帯電話機１００からの要求信号により商品情報等の店舗情報を記憶部３０３から読み出してカメラ付携帯電話機１００に送信する制御、商品陳列場所の検索及び経路検索を行い、商品陳列場所及び経路情報等の店内情報をカメラ付携帯電話機１００に送信する制御等、情報提供サービスの制御を行う機能を有する。
【００２５】
以上の構成により、ユーザがカメラ付携帯電話機１００のカメラ部１０３で撮影した画像の文字認識結果に基づいて、購入希望商品の一覧である商品一覧を自動的に作成し、店舗側装置２００に送信する。カメラ付携帯電話機１００は店舗側装置２００から一覧商品の陳列場所及び店舗内での購入の最短経路の情報等を受信し、ＬＣＤ表示部１０１に表示する。これによりユーザは情報提供を受け商品購入の支援を受けることが可能である。
【００２６】
（動作の説明）
次に本実施形態の商品陳列場所通知システム、カメラ付携帯電話機及び店舗側装置の動作について図を用いて説明する。
【００２７】
図４はカメラ付携帯電話機の処理フローチャートを示す図であり、図５は店舗側装置の処理フローチャートを示す図である。以下、図４、５を参照して商品一覧の購入希望商品の特定及び経路情報の取得に関する処理動作について説明する。
【００２８】
ユーザがカメラ付携帯電話機１００のキー入力部１０２を操作してカメラ部１０３を起動し、購入を希望する商品が記載された被写体を撮影する（ステップ４０１）。例えば、店舗の商品広告、店舗の入り口付近の商品一覧表示等は、購入を希望する商品が記載された被写体として利用可能である。
【００２９】
カメラ付携帯電話機１００の制御部２０３は撮影した画像に基づいて文字認識を行い（ステップ４０２）、認識された商品等に関する文字をＬＣＤ表示部１０１に表示する（ステップ４０３）。
【００３０】
ユーザはＬＣＤ表示部１０１に認識結果として表示された文字と撮影した被写体の文字とが一致しているか否かを確認し（ステップ４０４）、不一致の場合は再度撮影からやり直す（ステップ４０１）。なお、ここでキー入力部１０２の操作により文字等を修正する処理を追加することも可能である。また、一致した場合はキー入力部１０２を操作して制御部２０３は文字認識結果の商品のデータをメモリ２０１に保存する（ステップ４０５）。
【００３１】
ユーザは文字認識結果の保存の操作完了後、更に文字認識を行う被写体をカメラ部１０３で撮影して画像を追加して処理を継続するのか、すでに撮影済みとして終了するかを判断し（ステップ４０６）、まだ撮影を継続する場合は再度ステップ４０１の撮影に戻り処理を繰り返す。
【００３２】
ユーザは全ての撮影が完了したと判断した場合、今度は店舗側装置２００から提供される商品の一覧から買いたいものを選択するか否かの商品検索の有無を判断する（ステップ４０７）。
【００３３】
ユーザが商品検索を行う場合、カメラ付携帯電話機１００のキー入力部１０２を操作して商品の一覧に係る情報を店舗側装置２００から送信を受ける（ステップ４０８）。ユーザは一覧の情報の取得が完了した時点で、キー入力部１０２を操作して一覧から買いたい商品を選択する（ステップ４０９）。ユーザは複数の商品の選択を希望する場合（ステップ４１０）、ステップ４０９に戻り選択を繰り返す。
【００３４】
全ての選択が完了すると、制御部２０３は購入商品の商品一覧を作成する（ステップ４１１）。制御部２０３での商品一覧の作成完了後、ユーザは商品の陳列場所を検索するか否かを判断し（ステップ４１２）、商品の陳列場所の検索を行わない場合は、キー入力部１０２からの保存の操作を行い、制御部２０３は一覧の情報をメモリ２０１に保存して処理を終了する（ステップ４１３）。
【００３５】
ステップ４１２で、ユーザがキー入力部１０２を操作して商品の陳列場所の検索を行う場合、制御部２０３は店舗側装置２００に商品一覧の情報を送信し、陳列場所の検索処理を依頼する（ステップ４１４）。
【００３６】
店舗側装置２００は図５（ａ）に示すように、商品一覧の情報を受信して陳列場所の検索処理の依頼を受け（ステップ５０１）、記憶部２０３の店舗情報に基づいて一覧の各商品（一覧商品）の場所を検索し（ステップ５０２）、陳列場所の検索結果として陳列位置の情報を店内レイアウトの情報を含む店内情報としてカメラ付携帯電話機１００に送信する（ステップ５０３）。
【００３７】
カメラ付携帯電話機１００の制御部２０３は店舗側装置２００から受信した陳列場所の検索結果をＬＣＤ表示部１０１に表示する（ステップ４１５）。
【００３８】
図６は陳列場所の検索結果の表示イメージを示す図である。図６に示すようにＬＣＤ表示部１０１上の陳列場所の表示は、店内レイアウト表示としての店舗内の全体レイアウトと、該全体レイアウト上の商品の陳列場所を示すマーク表示としての黒丸点６０１、６０２等からなる。
【００３９】
制御部２０３はＬＣＤ表示部１０１への検索結果の表示状態で（ステップ４１５）、キー入力部１０２から最短経路の検索の操作の有無を判断し（ステップ４１６）、ユーザの操作が経路の検索を行わない場合、制御部２０３は陳列場所の検索結果の情報をメモリ２０１に保存して処理を終了する（ステップ４１７）。
【００４０】
ユーザの操作が経路の検索を行う操作の場合は、制御部２０３は陳列場所の検索結果に関する経路の検索を店舗側装置２００に依頼する（ステップ４１８）。
【００４１】
店舗側装置２００は、図５（ｂ）に示すように陳列場所の検索結果の情報を受信して経路の検索の依頼を受け（ステップ５１１）、商品場所の情報に基づいて経路を検索し（ステップ５１２）、購入経路の検索結果をカメラ付携帯電話機１００に送信する（ステップ５１３）。
【００４２】
カメラ付携帯電話機１００の制御部２０３は店舗側装置２００から受信した経路の検索結果をＬＣＤ表示部１０１に表示する（ステップ４１９）。
【００４３】
図７は経路の検索結果の表示イメージを示す図である。ＬＣＤ表示部１０１上の経路の検索結果は、黒丸点を線７０１で結んで示す商品購入の最短経路として表示される。
【００４４】
例えば、経路の検索結果は、経路の始点は店舗の入り口等とし、当該入り口に近い場所に陳列された購入希望商品から最短の商品購入経路として作成される。
【００４５】
制御部２０３は図７に示す検索結果の表示後（ステップ４１９）、経路の検索結果をメモリ２０１に保存して処理を終了する（ステップ４２０）。
【００４６】
ステップ４１３、４１７及び４２０でメモリ２０１に保存した情報は、後で自由に読み出し、表示させることを可能とし、商品購入のメモとしても利用可能とする。
【００４７】
次に、ユーザが実際に経路の検索結果の情報を利用して商品を購入する場合の処理動作について以下説明する。  
図８はカメラ付携帯電話機で経路の検索結果を利用して商品を購入するときのフローチャートを示す図である。
【００４８】
ユーザがカメラ付携帯電話機１００のキー入力部１０２から経路情報を利用する操作を行うと、制御部２０３は、図４のステップ４１８〜４２０でメモリ２０１に保存した経路の検索結果の情報を読み出し、ＬＣＤ表示部１０１に表示する（ステップ８０１）。
【００４９】
カメラ付携帯電話機１００の制御部２０３は次に購入する商品の陳列場所を示す黒丸点を点滅させるとともに、該黒丸点からの吹き出し表示等によりその商品名を表示する（ステップ８０２）。
【００５０】
ユーザはカメラ付携帯電話機のＬＣＤ表示部１０１を参照して、黒丸点が点滅している商品の陳列場所に行き、当該商品を買い物カゴ等に入れ、キー入力部１０２を操作して購入決定済みの操作を行う（ステップ８０３）。このユーザの操作により制御部２０３は購入した商品に対応する黒丸点の表示を反転又は表示色を変更し（ステップ８０４）、ユーザの通った経路を点線に変更する（ステップ８０５）。
【００５１】
制御部２０３は、全ての商品の購入が完了したか否かを判断し（ステップ８０６）、購入が未完了であれば、ステップ８０２に戻り、次の購入希望商品の陳列場所の黒丸点を点滅させ、当該場所の陳列商品名を表示する処理から繰り返す。
【００５２】
ユーザはカメラ付携帯電話機１００の表示部１０１を参照して購入する全ての黒丸点が反転して経路表示が点線となったことにより希望商品の購入完了の確認を行い、例えばカウンターで会計を行い、当該店舗での買い物を終了する。
【００５３】
図９は商品の購入途中の表示イメージを示す図である。商品購入経路の表示として、商品の陳列場所を示す黒丸点が線で結ばれた表示形態とし、次に購入する商品の黒丸点９０１を点滅表示などで目立たせ、商品名を吹き出し表示９０２することで、ユーザが商品を見つけやすいようにする。また、購入を完了した商品の黒丸点を９０３のように色変え、通った経路の線の線種を点線９０４に代えて商品の購入を支援する。このような動作によりユーザは陳列場所と最短の経路を把握しながら効率よく買い物を行うことができる。
【００５４】
（第２の実施形態）
以上の実施形態では、経路の検索結果が店舗の入り口等から開始する例を示したが、本発明は店舗内の任意の位置から経路検索を可能に構成することができる。
【００５５】
図１０は本発明の第２の実施形態の構成を示す図である。本実施形態のカメラ付携帯端末１００は第１の実施形態と同様の機能を有するＬＣＤ表示部１０１、キー入力部１０２、カメラ部１０３、記憶部２０１、アンテナ２０２及び制御部２０３に加え、カメラ付携帯電話機１００の位置を計測する位置計測部１００１とを備える。
【００５６】
本カメラ付携帯電話機１００の位置計測部１００１は現在位置の情報を計測できるＧＰＳ測位装置等を備え、制御部１００２は店舗側装置２００に商品一覧を送信する際に、位置計測部１００１で計測した現在位置の情報も店舗側装置２００に送信する。
【００５７】
カメラ付携帯電話機１００が商品一覧を店舗側装置２００に送信した時や、検索結果を記憶部２０３から読み出して経路検索の依頼した時に、店舗側装置２００ではカメラ付携帯電話機１００の店舗内の位置を把握できるので、例えば店舗内に入った時点や店内の任意の場所での経路検索の依頼時に、商品一覧の中で一番近くにある商品を始点として最短経路を検索して店内情報としてカメラ付携帯電話機１００に返送する。カメラ付携帯電話機１００は受信した最短経路の検索結果の情報をＬＣＤ表示部１０１に表示することにより、ユーザの位置に最も近い位置の商品を始点とする経路情報を参照して効率的に買い物を行うことが可能となる。
【００５８】
（他の実施形態）
以上の実施形態では、商品一覧としての買い物リストの入力インターフェースをカメラ付携帯電話機１００のカメラ部１０３とし、撮影画像から購入希望商品を特定する構成としているが、買いたいものをキー入力部１０２から手入力可能に構成できることは言うまでもない。
【００５９】
また、以上の実施形態で、カメラ付携帯電話機１００のキー入力部１０２の操作によりそれぞれの黒丸点がどの商品を示しているかを表示可能に構成することができる。カメラ付携帯電話機のキー入力部１０２の操作により黒丸点１０２にカーソルを合わせることで、任意の黒丸点の色を反転させた丸表示等とし、更に該丸表示から例えば吹き出しにより商品名を表示するように構成する。
【００６０】
また、店舗側装置２００はカメラ付携帯電話機１００からの依頼による最短経路の検索結果から顧客毎の経路等の情報を集計、管理し、ユーザの移動経路を把握するために利用可能とすることができる。これにより顧客がどの経路（ルート）を一番多く通っているか等の利用経路の情報を取得し、商品陳列の改善を行う等、商品陳列に係る情報の分析に役立てるように構成することが可能である。
【図面の簡単な説明】
【００６１】
【図１】本発明の商品陳列場所通知システムを構成するカメラ付携帯端末及び店舗側装置の外観を示す図である。
【図２】本発明の第１の実施形態のカメラ付携帯電話機の構成例を示す図である。
【図３】本発明の第１の実施形態の店舗側装置の構成例を示す図である。
【図４】カメラ付携帯電話機の処理フローチャートを示す図である。
【図５】店舗側装置の処理フローチャートを示す図である。
【図６】陳列場所の検索結果の表示イメージを示す図である。
【図７】経路の検索結果の表示イメージを示す図である。
【図８】カメラ付携帯電話機で経路の検索結果を利用して商品を購入するときのフローチャートを示す図である。
【図９】商品の購入途中の表示イメージを示す図である。
【図１０】本発明の第２の実施形態の構成を示す図である。
【符号の説明】
【００６２】
１００  カメラ付携帯電話機（カメラ付携帯端末）
１０１  ＬＣＤ表示部
１０２  キー入力部
１０３  カメラモジュール（カメラ部）
２００  店舗側装置
２０１、２０３、３０３  記憶部（メモリ）
２０２、３０４  アンテナ
２０３  制御部
３０１  表示部
３０２  入力部
３０５  店舗側制御部
７０１、９０４  経路表示
６０１、６０２  マーク表示（黒丸点）
９０１  マーク表示（強調表示）
９０２  吹き出し（商品名表示）
９０３  マーク表示（反転表示）
【図１】
2009217626.tif 000003
【図２】
2009217626.tif 000004
【図３】
2009217626.tif 000005
【図４】
2009217626.tif 000006
【図５】
2009217626.tif 000007
【図６】
2009217626.tif 000008
【図７】
2009217626.tif 000009
【図８】
2009217626.tif 000010
【図９】
2009217626.tif 000011
【図１０】
2009217626.tif 000012